(57)【要約】【課題】  消火栓装置の本体構造を取扱い容易にする。【解決手段】  筐体内に、給水源に接続される配管系統と、該配管系統に接続されてノズルを備える消火用ホースと、消火器とを備える消火栓装置であって、前記筐体は、底面、背面および上面を有する中央部と、底面、背面、上面および右側面を有する右側部と、底面、背面、上面および左側面を有する左側部と、から構成され、各部の底面、背面および上面を接合させるとともに、各部の前面側に、開口部を有する枠状の前面パネルが設けられ、各部の前面パネルを接合させて、前記筐体を形成する。【選択図】  図１
2010136946.tif 000002
【特許請求の範囲】
【請求項１】
筐体内に、給水源に接続される配管系統と、該配管系統に接続されてノズルを備える消火用ホースと、消火器とを備える消火栓装置であって、
前記筐体は、底面、背面および上面を有する中央部と、底面、背面、上面および右側面を有する右側部と、底面、背面、上面および左側面を有する左側部と、から構成され、各部の底面、背面および上面を接合させるとともに、各部の前面側に、開口部を有する枠状の前面パネルが設けられ、各部の前面パネルを接合させて、前記筐体を形成することを特徴とする消火栓装置。
【請求項２】
中央部、右側部および左側部は、設置する床面に固定される架台にそれぞれ個別に固定される請求項１の消火栓装置。
【請求項３】
各部の底面、背面および上面は、端部に縁部が形成され、該縁部を当接させて接合されている請求項１または２の消火栓装置。
【発明の詳細な説明】
【技術分野】
【０００１】
この発明は、消火栓装置に関し、とくにトンネル向けの消火栓装置に関する。
【背景技術】
【０００２】
従来のトンネル向けの消火栓装置は、消火器、表示灯、非常用発信器、消火用ホース、消火栓弁など、いろんな部材が組み合わされ、一つの筐体内に配置されている。
【０００３】
また、消火栓装置の筐体を構成する前面パネルを二分割とし、腐食の発生時に、一方の前面パネルを交換可能とできることが提案されている（例えば、特許文献１参照）。
【特許文献１】特開２００１−１７０１９９号公報
【発明の開示】
【発明が解決しようとする課題】
【０００４】
前面パネルと一緒に、箱状の筐体を形成する本体は、大きな部材であり、消火栓装置全体の重量に大きく影響し、消火栓装置の運搬や設置の作業が面倒となっていた。
【０００５】
この発明は、消火栓装置の本体構造を取扱い容易にすることを目的とするものである。
【課題を解決するための手段】
【０００６】
この発明は、筐体内に、給水源に接続される配管系統と、該配管系統に接続されてノズルを備える消火用ホースと、消火器とを備える消火栓装置であって、前記筐体は、底面、背面および上面を有する中央部と、底面、背面、上面および右側面を有する右側部と、底面、背面、上面および左側面を有する左側部と、から構成され、各部の底面、背面および上面を接合させるとともに、各部の前面側に、開口部を有する枠状の前面パネルが設けられ、各部の前面パネルを接合させて、前記筐体を形成することを特徴とするものである。
【０００７】
そして、中央部、右側部および左側部は、設置する床面に固定される架台にそれぞれ個別に固定されるものであり、さらに、各部の底面、背面および上面は、端部に縁部が形成され、該縁部を当接させて接合されているものである。
【発明の効果】
【０００８】
この発明によれば、筐体が中央部、右側部および左側部に分けられていて、運搬や設置の際に、一体に扱う必要がなく、作業が行いやすい。
【０００９】
そして、設置の際の架台に各部を固定してそれぞれの位置決めをすることができ、さらに、底面、背面および上面に縁部を形成することで端部を当てやすく、この縁部でボルト締め等によって各部を固定させることができる。
【発明を実施するための最良の形態】
【００１０】
実施の形態１
以下、本発明の一実施の形態について説明する。図において、実施の形態１の消火栓装置１００は、消火用ホースを備えている消火栓装置である。この消火栓装置１００は、例えばトンネル内の車道に隣接する監査路上に設置されたり、トンネルの内壁に埋設されて設置されたりするものである。
【００１１】
消火栓装置１００は、図１から図３に示すように、その本体１０の前面に前面パネル２１が設置されて筐体を形成し、その内部に、先端にノズル６０を有するホース５、そのホース５を内巻に収納するホースバケット１２、自動調圧弁２、消火栓弁３、メンテナンス弁６等を備えて図示しない給水源に接続される配管系統４、図示しない消火器を備えている。
【００１２】
本体１０および前面パネル２１は、中央部Ｃ、右側部Ｒおよび左側部Ｌで構成され、図４に示すように、筐体としての底面１０ｆＣ、１０ｆＲ、１０ｆＬ、背面１０ｂＣ、１０ｂＲ、１０ｂＬおよび上面１０ｓＣ、１０ｓＲ、１０ｓＬが各部を組み合わせて一面となるように構成されている。そして、本体１０の左右側面は、右側部Ｒの右側面１０ｒと、左側部Ｌの左側面１０ｐとなっている。
【００１３】
中央部Ｃ、右側部Ｒおよび左側部Ｌの前方には、それぞれ開口部を有する枠状の前面パネル２１Ｃ、２１Ｒ、２１Ｌが取り付けられていて、その開口部を覆うように、消火栓扉１４、配管扉１５、消火器扉２６がそれぞれに設置されている。
【００１４】
中央部Ｃの開口部には、消火栓扉１４とともに消火栓扉１４に連結する着脱板１３が設けられていて、消火栓扉１４は着脱板１３と連結される部分に蝶番１４ａを有し、消火栓扉１４の先端を切り欠いて配置した棒状のハンドル４３を手前に引くことで、前方に約１８０度、反転するように開放動作し、着脱板１３の下方にゴム等による当たり部材１３ａが設けられている。なお、この消火栓扉１４の閉状態は磁石によって維持されているが、ラッチ機構によって閉状態とするようにしてもよい。そして、消火栓扉１４に連結する着脱板１３は、４隅を前面パネル２１Ｃの図示しない取付穴にねじ止めされて固定されていて、着脱可能であり、消火栓扉１４と一体的に取り外すことが可能となっている。
【００１５】
左側部Ｌの開口部には、消火器扉２６とともに電気機器取付板２８が設けられている。この電気機器取付板２８には、表示灯５５や非常用発信器５６、応答ランプ５７などが取り付けられ、その他、電話ジャック、非常用コンセントなどの電気機器を備えることができる。この取付板２８は、詳細に示さないが、４隅で図示しない取付穴にねじ止めされて固定される。なお、消火器扉２６の内側には、図示しない消火器を配置するための配置スペース２６Ｓがある。
【００１６】
この本体１０の下側には、設置面に固定される架台１１が配置され、図４に示されるように、この架台１１の上面に、筐体を構成する中央部Ｃ、右側部Ｒ、左側部Ｌがそれぞれの底面１０ｆＣ、１０ｆＲ、１０ｆＬでボルト締めにより固定される。この架台１１は、断面略コ字状の鋼材による枠体であるが、その内側に対して必要な補強部材が設けられていて、例えばトンネルの監査路に沿って形成された箱抜き部分のような設置面に対して、アンカーなどで強固に固定される。
【００１７】
このような消火栓装置１００の設置について説明すると、まず、設置面の所定位置に架台１１をアンカーで固定する。
【００１８】
固定された架台１１に、筐体の中央部Ｃ、右側部Ｒおよび左側部Ｌがそれぞれ個別に架台１１上に載置され、例えば中央部Ｃでは、底面１０ｆＣで架台１１とボルト締めにより固定され、各部の底面をボルト締めによって架台１１に固定する。このように、架台１１に対して固定することで、各部がそれぞれ所定の位置に位置決めされることとなり、筐体としての底面、背面および上面が一面に接合されることになる。
【００１９】
これら、筐体の中央部Ｃ、右側部Ｒおよび左側部Ｌの下方を上記のように固定した後、中央部Ｃおよび右側部Ｒの間、中央部Ｃおよび左側部Ｌの間を固定する。ここで、中央部Ｃ、右側部Ｒおよび左側部Ｌを構成する各面、底面１０ｆＣ、１０ｆＲ、１０ｆＬ、背面１０ｂＣ、１０ｂＲ、１０ｂＬおよび上面１０ｓＣ、１０ｓＲ、１０ｓＬの端部には、それぞれ縁部１０Ｆが内向きに形成されている。中央部Ｃおよび右側部Ｒの間では、上面１０ｓＣ、１０ｓＲの両縁部１０Ｆを２箇所（１箇所でもよい）ボルト締めすることで結合させ、また、中央部Ｃおよび左側部Ｌの間では、上面１０ｓＣ、１０ｓＬの両縁部１０Ｆを２箇所ボルト締めすることで結合させて固定する。
【００２０】
これにより、各部は架台１１に対して下方で固定されると同時に、上面１０ｓＣ、１０ｓＲ、１０ｓＬの間で上方で固定され、ぐらつくことがない。
【００２１】
このように、底面１０ｆＣ、１０ｆＲ、１０ｆＬ、背面１０ｂＣ、１０ｂＲ、１０ｂＬおよび上面１０ｓＣ、１０ｓＲ、１０ｓＬの隣り合う面は、その縁部１０Ｆが当接することによって接合されていて、各面の両端で確実に当ることとなり、面に対して垂直方向にずれが発生しても隙間が空くようなことはない。
【００２２】
これら、筐体の中央部Ｃ、右側部Ｒおよび左側部Ｌは、製造時に前面パネル２１Ｃ、２１Ｒ、２１Ｌがそれぞれ取り付けられているとともに（前方から４隅でねじ止めされる）、各扉および板が設けられて調整済みで、筐体の内部に設けられる消火用ホース５を備えるホースバケット１２や自動調圧弁２、消火栓弁３、メンテナンス弁６、給水栓７等を備える配管系統４が組み込まれている。そして、設置面での結合によって消火栓装置１００として使用できる状態である。
【００２３】
つぎに、このような消火栓装置１００の使用方法について、火災の発生時、ホース５を伸ばしてノズル６０から放水する場合を説明する。
【００２４】
操作者は、まず消火栓扉１４を開けるため、ハンドル４３を握り手前に引くことで、消火栓扉１４が約１８０度手前に倒れて垂れ下がるように開放する。この消火栓扉１４が開放すると、その開口部からノズル６０と開閉レバー３ａが見える。
【００２５】
つぎに、操作者は、ノズル６０をホルダ６０ａから取り外し、開閉レバー３ａを手前に引くことで、図示しないワイヤで結合する消火栓弁３を開放することができ、消火栓弁３の一次側まで来ている給水源から供給される消火水が自動調圧弁２を介してホース５内に流入する。
【００２６】
この状態で、取り外したノズル６０を握りながら、操作者が火災の現場に向うと、ノズル６０に接続されているホース５がホースバケット１２から順次繰り出される。そして、火災の現場に近づき、ノズル６０から消火水を放出して消火活動を行うことができる。
【００２７】
このように使用したホース５を収容する際には、消火栓扉１４に連結される着脱板１３を取り外すことにより、開口部が大きくなって、ホースバケット１２への収容作業が行いやすくなる。
【００２８】
同様に、火災の発生時に消火器を利用する場合を説明すると、操作者は、まず消火器扉２６を開けるため、ハンドル２６ａを握り、横開きに消火器扉２６を開放させる。この消火器扉２６が開放すると、その開口部から図示しない消火器が見える。
【００２９】
そして、操作者は、図示しない消火器を取り出し、取り出した消火器をも持って火災の現場に向い、その消火器から消火剤を噴出させて消火活動を行うことができる。
【００３０】
また、火災の発生時に消防隊が給水栓７を利用する場合を説明すると、消防隊員は、まず配管扉１５を開けるため、ハンドル１５ａを握り、横開きに配管扉１５を開放させる。この配管扉１５が開放すると、その開口部から給水栓７が見える。
【００３１】
そして、消防隊員は、用意している消防隊用のホースをその給水栓７につなぎ、給水栓７を開放させてホースに接続されている消防隊用のノズルを持って消防隊員が火災の現場に向う。そして、火災の現場に近づき、消防隊用のノズルから消火水を放出して消火活動を行うことができる。
【００３２】
このように、各扉は使用する部分に応じて必要な大きさに開口するよう、設置されている。
【００３３】
なお、この消火栓装置１００では、配管系統４に消防隊用の給水栓７を有しているもので説明しているが、給水栓７が不要な場合もあり、そのとき、配管扉１５は扉形式でなく、例えば、４隅をネジ止めによって着脱可能とする板形式であってもよい。また、開口部に設けられているその他の板部材について扉形式にしてもよく、各扉についても開放形式を特定するものではない。
【００３４】
以上のように、この実施の形態の消火栓装置１００は、本体１０と前面パネル２１で構成される筐体内に、給水源に接続される配管系統４と、配管系統４に接続されてノズル６０を備えるホース５と、設置スペース２６Ｓに設置される図示しない消火器とを備え、筐体は、底面１０ｆＣ、背面１０ｂＣおよび上面１０ｓＣを有する中央部Ｃと、底面１０ｆＲ、背面１０ｂＲ、上面１０ｓＲおよび右側面１０ｒを有する右側部Ｒと、底面１０ｆＬ、背面１０ｂＬ、上面１０ｓＬおよび左側面１０ｐを有する左側部Ｌと、から構成され、各部の底面、背面および上面を接合させるとともに、各部の前面側に、開口部を有する枠状の前面パネル２１Ｃ、２１Ｒ、２１Ｌが設けられ、各部の前面パネルを接合させて、筐体を形成するものであり、運搬や設置の際に、一体に扱う必要がなく、作業が容易であるという効果を奏する。
【００３５】
そして、中央部Ｃ、右側部Ｒおよび左側部Ｌは、設置する床面に固定される架台１１にそれぞれ個別に固定されるものであり、それぞれの位置決めをすることができ、さらに、各部の底面、背面および上面は、端部に縁部１０Ｆが形成され、縁部１０Ｆを当接させて接合され、この縁部でボルト締め等によって各部を固定させることができる。
【図面の簡単な説明】
【００３６】
【図１】この発明の実施の形態１を示す消火栓装置の正面図。
【図２】図１につき、一部を断面にした平面図。
【図３】図１につき、消火栓扉の開放状態での右側面図。
【図４】図１に用いる本体の組み立て方法を示す組立図。
【符号の説明】
【００３７】
１０  本体、１１  架台、２１  前面パネル、４  配管系統、５  ホース、６０  ノズル、Ｃ  中央部、Ｒ  右側部、Ｌ  左側部。
【図１】
2010136946.tif 000003
【図２】
2010136946.tif 000004
【図３】
2010136946.tif 000005
【図４】
2010136946.tif 000006